(57)【要約】【課題】電気機器１に電圧異常時や動作異常が発生した場合に、ユーザの手間をかけることなく電気機器を自動で再起動させるスイッチング電源装置２を提供すること。【解決手段】スイッチング電源装置２は、帰還回路のシャントレギュレータ２５に短絡用スイッチ３６を設ける。２次側回路３０にて異常が発生した場合、制御信号Ｖｃにより短絡用スイッチ３６をオン状態にすることで１次側補助巻線７の電圧Ｖ１を低下させ、１次側制御回路１１及びスイッチング素子１０の動作を一旦停止させる。引き続き、１次側の整流用コンデンサ１３には起動抵抗９を介して入力電源から充電され、１次側制御回路１１及びスイッチング素子１０は自動的に再起動する。【選択図】図１
2009177990.tif 000002
【特許請求の範囲】
【請求項１】
トランスの１次側主巻線に印加される直流電圧をスイッチング素子でオン・オフし、２次側巻線に誘起される電圧を整流して２次側回路に出力するスイッチング電源装置において、
上記スイッチング素子のオン・オフ動作を制御する１次側制御回路と、
該１次側制御回路に電源電圧を供給するために上記トランスに設けた１次側補助巻線と、
上記２次側巻線の電圧変動を上記１次側制御回路に伝達させる帰還回路と、
該帰還回路の一部を短絡させる短絡用スイッチとを備え、
上記２次側回路において異常が発生した場合、上記短絡用スイッチをオン状態にすることで上記１次側補助巻線の誘起電圧を低下させ、上記１次側制御回路及び上記スイッチング素子の動作を停止させることを特徴とするスイッチング電源装置。
【請求項２】
請求項１記載のスイッチング電源装置において、
入力電源からコンデンサに充電して前記１次側制御回路の起動時にその電源電圧を供給する起動抵抗を備え、
前記短絡用スイッチがオン状態になり前記１次側制御回路の動作が停止した後、上記起動抵抗を介して電源電圧を供給することにより、前記１次側制御回路及び前記スイッチング素子の動作を自動的に開始させることを特徴とするスイッチング電源装置。
【請求項３】
請求項１または２に記載のスイッチング電源装置において、
前記帰還回路には、前記２次側巻線からの帰還電圧の設定を行うシャントレギュレータを有し、
前記短絡用スイッチを、該シャントレギュレータのアノードとカソードの間に設けたことを特徴とするスイッチング電源装置。
【請求項４】
請求項１または２に記載のスイッチング電源装置において、
前記短絡用スイッチを、前記２次側巻線の電圧を整流するコンデンサの両端間に設けたことを特徴とするスイッチング電源装置。
【請求項５】
トランスの１次側主巻線に印加される直流電圧をスイッチング素子でオン・オフし、２次側巻線に誘起される電圧を整流して２次側回路に出力するスイッチング電源装置において、
当該装置への入力電源を遮断するリレースイッチと、
上記スイッチング素子のオン・オフ動作を制御する１次側制御回路と、
該１次側制御回路に電源電圧を供給するために上記トランスに設けた１次側補助巻線と、
入力電源からコンデンサに充電して上記１次側制御回路の起動時にその電源電圧を供給する起動抵抗と、
上記２次側巻線の電圧変動を上記１次側制御回路に伝達させる帰還回路とを備え、
上記２次側回路において異常が発生した場合、上記リレースイッチをオフ状態にすることで上記１次側補助巻線の誘起電圧を停止させて、上記１次側制御回路及び上記スイッチング素子の動作を停止させた後、
上記起動抵抗を介して電源電圧を供給することにより、上記１次側制御回路及び上記スイッチング素子の動作を自動的に開始させることを特徴とするスイッチング電源装置。
【請求項６】
請求項１ないし５のいずれか１項に記載のスイッチング電源装置とこれから供給される電圧で動作する２次側回路を備える電気機器であって、
該２次側回路には、当該回路内の所定箇所の電圧の異常を検出する電圧検出回路と、当該回路の動作の異常を検出する動作異常検出回路を有し、
該電圧検出回路または該動作異常検出回路が異常を検出すると、上記スイッチング電源装置に対し、異常発生を示す制御信号を送ることを特徴とする電気機器。
【発明の詳細な説明】
【技術分野】
【０００１】
本発明は、電気機器に電圧を供給するスイッチング電源装置に係り、電気機器の回路異常時に自動的に復帰させる技術に関する。
【背景技術】
【０００２】
一般に、ＡＣ電源を入力して使用する電気機器は、スイッチング素子とトランスによりＡＣ−ＤＣ変換を行うスイッチング電源装置を用いて機器内の回路に電力を供給することが多い。その際スイッチング電源装置は、出力電圧の安定化を図るため、２次側の電圧変動をフォトカプラなどで１次側に帰還させる構成としている。
【０００３】
機器内のＩＣなどに電力を供給するスイッチング電源装置では、ＩＣ破壊を防止するため、２次側出力電圧の異常時には１次側回路のスイッチング素子の発振を停止させる制御を行っている。例えば特許文献１に記載の技術では、出力電圧が過電圧状態になった時、帰還回路のフォトカプラの入力端子を接地させることにより１次側発振回路を制御し、発振を停止させている。そして、過電圧となった原因を取り除いた後、発振再開用のコントロール信号を送り再起動を行っている。
【０００４】
また特許文献２に記載の技術では、帰還回路のフォトカプラが故障してスイッチング電源装置の出力電圧が高くなるような異常が発生した場合に、前記特許文献１と同様に、帰還回路のフォトカプラの入力端子を接地させることにより１次側発振回路の発振を停止させている。この場合には、原因が部品の故障によるためＡＣ電源の切断及び部品の修理が必要となる。
【０００５】
【特許文献１】特開平１０−２２５１１２号公報
【特許文献２】特開２０００−１５６９７２号公報
【発明の開示】
【発明が解決しようとする課題】
【０００６】
スイッチング電源装置では、２次側回路部品の保護及び機器の安全のため、２次側出力電圧が異常時に何らかの方法により１次側回路を制御して保護動作を行うことが必要である。上記特許文献１に記載の技術では、２次側から１次側への帰還回路において、帰還電流を通常よりも減少させて、１次側の発振を停止させ保護動作を行うことができる。
【０００７】
しかしながら、特許文献１記載の技術では、例えば過電圧状態が発生して１次側の発振を止めてしまった後は、別途、２次側回路から停止解除用（発振再開用）の制御信号を伝達しない限り、停止状態が継続することになる。異常状態がたとえ一過性のものであったとしても同様である。そのような場合には、ユーザがＡＣ入力電源の切り／入り動作を行い、電気機器を再起動させて復帰させねばならない。電気機器は常にユーザがそばにいる状態でのみ動作するとは限らない。また、電気機器のタイマー機能を利用して、無人で運転することも多い。このように、無人運転中の機器が予期せずに停止し停止状態が継続することは、使い勝手が悪いだけでなくユーザに対し少なからず損失を与えることになる。
【０００８】
一方近年の電気機器の回路は、ＬＳＩやメモリーといったＩＣを中心に構成されている。機器の省電力化を図るため、ＩＣの動作電圧の低電圧化が進んだことから、自然界の環境による影響、例えば雷によるサージ電圧の流入や、他の機器からの外来ノイズの影響を受け易くなっている。その結果、場合によってはＩＣのラッチ作用により電気機器が動作不能な状態に陥ることがある。特許文献１記載の技術では、保護対象として過電圧異常時しか考慮されておらず、他の原因による機器動作の異常には対応できない。
【０００９】
さらに上記特許文献２に記載の技術では、帰還回路で用いるフォトカプラ等の絶縁素子が故障した場合にスイッチング電源装置を停止させるものであるが、新たにオペアンプや論理回路等の部品追加が必要になり、構成が複雑でコストアップを招くことになる。
【００１０】
本発明の目的は、電気機器のスイッチング電源装置において、２次側出力の電圧異常時や動作異常が発生した場合に、ユーザの手間をかけることなく電気機器を自動で再起動させる、簡単な構成のスイッチング電源装置を提供することにある。
【課題を解決するための手段】
【００１１】
本発明は、トランスの１次側主巻線に印加される直流電圧をスイッチング素子でオン・オフし、２次側巻線に誘起される電圧を整流して２次側回路に出力するスイッチング電源装置において、スイッチング素子のオン・オフ動作を制御する１次側制御回路と、１次側制御回路に電源電圧を供給するためにトランスに設けた１次側補助巻線と、２次側巻線の電圧変動を１次側制御回路に伝達させる帰還回路と、帰還回路の一部を短絡させる短絡用スイッチとを備える。短絡用スイッチは、例えば帰還回路のシャントレギュレータに設ける。そして、２次側回路において異常が発生した場合、短絡用スイッチをオン状態にすることで１次側補助巻線の誘起電圧を低下させ、１次側制御回路及びスイッチング素子の動作を停止させる構成とする。
【００１２】
さらに、入力電源からコンデンサに充電して１次側制御回路の起動時にその電源電圧を供給する起動抵抗を備え、短絡用スイッチがオン状態になり１次側制御回路の動作が停止した後、起動抵抗を介して電源電圧を供給することにより、１次側制御回路及びスイッチング素子の動作を自動的に開始させる構成とする。
【００１３】
本発明の電気機器は、上記スイッチング電源装置とこれから供給される電圧で動作する２次側回路を備え、２次側回路には、当該回路内の所定箇所の電圧の異常を検出する電圧検出回路と、当該回路の動作が異常を検出する動作異常検出回路を有する。そして、電圧検出回路または動作異常検出回路が異常を検出すると、スイッチング電源装置に対し、異常発生を示す制御信号を送る構成とする。
【発明の効果】
【００１４】
本発明によれば、電気機器に異常が発生した場合、ユーザの手間をかけることなく自動で電気機器を再起動させる低コストのスイッチング電源装置を提供することができる。
【発明を実施するための最良の形態】
【００１５】
以下、本発明による実施の形態について、図面を用いて具体的に説明する。
【実施例１】
【００１６】
図１は、本発明に係るスイッチング電源装置を含む電気機器の一実施例を示す構成図である。
電気機器１は、例えば無人で動作することの多い監視装置であって、ＡＣ入力電源をＤＣ出力電圧に変換するスイッチング電源装置２を用いて、監視用動作を行う２次側回路３０に供給する。スイッチング電源装置２の構成を説明する。
【００１７】
電気機器１のＡＣプラグ３から入力されるＡＣ電圧を１次側整流回路４により平滑化し、その平滑化された直流電圧を１次側制御回路１１によってスイッチング素子１０をオン・オフ動作（発振動作）させ、トランス５を介して２次側に所望の電圧Ｖ２を供給する。トランス５には、１次側主巻線６と、１次側制御回路１１に電源電圧を供給する補助巻線７と、出力用の２次側巻線８ａ，８ｂを設ける。ここでは２系統の出力を行う場合を示す。補助巻線７に誘起された電圧は、整流用ダイオード１２と整流用コンデンサ１３によって整流され、１次側制御回路１１へ電圧Ｖ１が供給される。２次側巻線８ａ，８ｂに誘起された電圧は、整流用ダイオード１４ａ，１４ｂと整流用コンデンサ１５ａ，１５ｂによって整流され、それぞれ２次側出力端子２０ａ，２０ｂから２次側回路３０へ電圧Ｖ２ａ，Ｖ２ｂが供給される。起動抵抗９は、１次側制御回路１１が起動する時の電圧を供給するためもので、補助巻線７から電圧供給が開始されるまでの間、ＡＣプラグ３から入力されるＡＣ電圧を整流用コンデンサ１３に充電して供給することで、１次側制御回路１１を起動させる。
【００１８】
また、２次側出力電圧Ｖ２を安定化させるために、ここでは２次側出力端子２０ｂの電圧Ｖ２ｂの変動を１次側制御回路１１に伝達する帰還回路を有する。帰還回路は、分圧抵抗２１，２２、誤差増幅部２３、絶縁素子であるフォトカプラ２６によって構成する。誤差増幅部２３は、電流制限抵抗２４と定電圧制御素子であるシャントレギュレータ２５からなる。例えば２次側出力電圧Ｖ２ｂが設定電圧よりも上昇した時には、誤差増幅部２３はその電圧差を増幅してフォトカプラ２６の電流を増加させ、１次側制御回路１１はスイッチング素子１０のオン・オフ比（デューティ比）を減少させて２次側出力電圧Ｖ２を安定化させる。
【００１９】
さらに本実施例では、２次側回路３０には、回路内の所定箇所の電圧を監視して電圧の異常（過電圧や低電圧）を検出する電圧検出回路３１と、２次側回路３０がラッチ等により動作異常や動作不能になったことを検出する動作異常検出回路３２を有する。すなわち、外的環境変化（雷によるサージ電圧の流入）や外部機器からの外来ノイズ等により、２次側回路３０内の印加電圧が停止したり（例えば２次側回路に電圧を供給するＤＣ−ＤＣコンバータＩＣが停止する）、あるいは２次側回路部品（例えばＬＳＩなどの半導体部品）のラッチにより電気機器１が動作不能になる場合についても、検出回路３１，３２によりこれらの異常を検出する。この他にも異常検出回路を適宜組み合わせて用いることができる。
【００２０】
またスイッチング電源装置２には、帰還回路の一部を短絡する短絡用スイッチ３６を設ける。このスイッチ３６にはトランジスタやＦＥＴを用いることができ、Ｈｉレベルの制御信号（あるいは論理を逆にすればＬｏレベルでも可）によりオン（短絡）動作を行う。ここでは短絡用スイッチ３６を、２次側からの帰還電圧の設定を行うシャントレギュレータ２５のアノードとカソードの間に設けた。
【００２１】
この構成により、電圧検出回路３１または動作異常検出回路３２のいずれかが異常を検出すると、オア回路３３により異常を示す１つの制御信号Ｖｃとして送信する。この制御信号Ｖｃは制御信号入力端子３４から逆流防止用ダイオード３５を介して短絡用スイッチ３６に送られ、スイッチ３６はオフからオンに切り替わりシャントレギュレータ２５を短絡する（カソード電圧Ｖｋが０になる）。その結果、帰還回路は電流制限抵抗２４のみの低抵抗状態になり、フォトカプラ２６に過剰電流が流れて、１次側制御回路１１はスイッチング素子１０の発振を停止させる。これと同時に、２次側巻線８ａ，８ｂの電圧Ｖ２及び１次側の補助巻線７の電圧Ｖ１が急激に低下し、１次側制御回路１１の動作を停止させる。
【００２２】
本実施例の構成では、引き続き、１次側の整流用コンデンサ１３には、ＡＣプラグ３から起動抵抗９を介して充電電流が流れ込む。その結果、１次側制御回路１１への印加電圧Ｖ１が上昇して１次側制御回路１１は動作を再開し、スイッチング素子１０の発振も再開する。すなわち、ＡＣプラグ３の切り／入り動作と等価な動作を行い、自動的にスイッチング電源装置２を再起動させ、電気機器１の２次側回路３０へ電圧Ｖ２を供給することができる。
【００２３】
以下、本発明のスイッチング電源装置の動作を詳細に説明する。
図２は、本実施例のスイッチング電源装置２の異常発生時の動作フローチャートを示す図である。また図３は、スイッチング電源装置２の各部の信号波形を示す図である。
【００２４】
ステップＳ２０１では、スイッチング電源装置２へＡＣプラグ３からＡＣ電源を投入する。ステップＳ２０２では、起動抵抗９より１次側制御回路１１に電源電圧を供給して、スイッチング素子１０の発振動作を起動させる。起動後は、１次側制御回路１１には１次側補助巻線７から電圧を供給する。トランス５の１次側主巻線６に発振電流が流れると、２次側巻線８ａ，８ｂから２次側回路３０に出力電圧Ｖ２ａ，Ｖ２ｂを供給し、２次側回路３０の動作が開始する。
【００２５】
ステップＳ２０３では、２次側回路３０内の電圧検出回路３１と動作異常検出回路３２は電圧異常や動作異常を監視し、異常を検出すると、異常を示す制御信号Ｖｃを出力する。すなわち、Ｓ２０４は電圧が低下した場合を、Ｓ２０５は電圧が過電圧になった場合を、Ｓ２０６は機器動作の異常を検出する。いずれかの異常を検出すると、Ｓ２０７では異常を示す制御信号Ｖｃをスイッチング電源装置２側へ送信する。図３（ａ）は、時刻ｔ１にて異常を検出し、Ｈｉレベルの制御信号Ｖｃを発生したところを示す。
【００２６】
ステップＳ２０８では、異常を示す制御信号Ｖｃはスイッチング電源装置２の短絡用スイッチ３６に送られ、スイッチ３６がオン状態に切り替わることで帰還回路の一部（ここではシャントレギュレータ２５）を短絡する。図３（ｂ）はシャントレギュレータ２５のカソード電圧Ｖｋの変化を示す。シャントレギュレータ２５のアノードとカソードが短絡されると、帰還回路は正常な設定電圧を保持することができなくなり、カソード電圧Ｖｋは接地電位に急激に低下する。
【００２７】
ステップＳ２０９では、帰還電圧（カソード電圧Ｖｋ）が急低下したことにより、トランス５の２次側巻線８ａ，８ｂの電圧Ｖ２ａ，Ｖ２ｂは急低下する。同時に、１次側補助巻線７の電圧Ｖ１も急低下する。図３（ｃ）には２次側巻線の電圧Ｖ２の変化を、図３（ｄ）には１次側補助巻線７の電圧Ｖ１の変化を示す。
【００２８】
ステップＳ２１０では、１次側補助巻線７の電圧Ｖ１が急低下することで、１次側制御回路１１への供給電圧が不十分となり、１次側制御回路の動作そのものが停止する。その結果、スイッチング素子１０の発振も停止する。図３（ｄ）では、１次側補助巻線７の電圧Ｖ１が時刻ｔ２において動作に必要なスレッシュレベルＶｔｈ以下に低下する。図３（ｅ）はスイッチング素子１０の発振波形Ｖｏｓｃを示し、時刻ｔ２において発振動作が停止する。
【００２９】
また、トランス５の１次側の発振が停止したことにより、２次側巻線８ａ，８ｂには電圧が誘起されなくなり、２次側回路３０の動作も停止する。図３（ｃ）では２次側巻線の電圧Ｖ２がゼロレベルまで低下することを示す。このため、検出回路３１，３２から送信されていた異常を示す制御信号Ｖｃも、図３（ａ）に示すように停止する（ＨｉからＬｏへ切り替わる）。これより２次側回路３０は、ＡＣ入力を切断した時と結果的に同じ状態になる。
【００３０】
ステップＳ２１１では、２次側回路３０への電圧供給がなくなり動作を完全に停止するため、ＩＣ等の回路部品に蓄積された電荷は除去される。その結果、２次側回路３０の電圧異常あるいは動作異常の状態（ラッチ状態を含む）は解除され、回路全体が初期状態にリセットされる。
【００３１】
全回路がリセットされた後、上記ステップＳ２０２に戻る。図３（ｄ）の１次側補助巻線７の電圧Ｖ１がＶＬに達する時刻ｔ３において、１次側整流用コンデンサ１３は、放電する電荷の量よりもＡＣ電源から起動抵抗９を介して流れ込む充電電流による電荷の方が多くなり、１次側制御回路１１への印加電圧Ｖ１が上昇し始める。これは、ＡＣ電源を投入した時と結果的に同じ動作である。
【００３２】
時刻ｔ４において電圧Ｖ１が１次側制御回路１１のスレッシュレベルＶｔｈまで達すると、１次側制御回路１１は動作を開始しスイッチング素子１０はオン・オフ動作を開始する。図３（ｅ）は時刻ｔ４にて１次側回路の発振が再開することを示す。時刻ｔ２からｔ４までの発振停止期間は充電回路の時定数で決まるが、およそ１秒程度であり実用上支障にならない。このように、１次側回路を再起動させるために別途制御信号を与えることなく、スイッチング電源装置２は自動的に即座に再起動を開始することができる。
【００３３】
スイッチング電源装置２の再起動により２次側出力電圧Ｖ２の供給が再開されるが、２次側回路３０は完全にリセットされているので、２次側回路３０及び電気機器１は本来の正常な状態から動作を再開する。なお、再開後の動作中に再び電圧異常や動作異常を検出すると、Ｓ２０３以後のステップに進み、再度１次側回路の停止と再起動を行う。
【００３４】
本実施例によれば、電気機器にラッチ等の異常が発生した時、スイッチング電源装置は自動的に発振停止と再起動を行うのでユーザの操作は全く不要となる。また異常発生の原因として、電圧異常だけでなく他の原因による機器動作の異常にも対応できるので使い勝手が良い。よって、監視装置のような無人運転の機器において特に有効である。本実施例のスイッチング電源装置は、短絡スイッチを追加した簡単な構成で実現できるので装置のコストアップを抑えることができる。
【００３５】
なお、異常発生の原因が回路部品の故障や破壊の場合は、異常の原因を除去しない限り上記一連の復帰動作を繰り返すことになる。しかしながら、１次側回路を一旦停止することで異常状態は一旦途切れるので、異常状態が継続することはない。すなわち、機器の異常状態が継続することによる異常箇所あるいはその近傍の部品が過熱することを防止し、機器の安全性を高める効果がある。
【実施例２】
【００３６】
図４は、本発明に係るスイッチング電源装置を含む電気機器の他の実施例を示す構成図である。
本実施例でも実施例１と同様に、２次側回路３０には、電圧の異常を検出する電圧検出回路３１と、回路の動作異常を検出する動作異常検出回路３２を有する。実施例１と異なるのは、スイッチング電源装置２において帰還回路の一部を短絡するために、２次側巻線８ｂの整流用コンデンサ１５ｂの両端位置にこれを短絡する短絡用スイッチ４２を設けたことである。
【００３７】
この構成により、検出回路３１，３２が異常を検出すると、異常を示す制御信号Ｖｃは逆流防止用ダイオード４１を介して短絡用スイッチ４２に送られる。スイッチ４２はオフからオンに切り替わり整流用コンデンサ１５ｂを短絡して２次側出力電圧Ｖ２ｂを急激に低下させる。これに伴い、１次側の補助巻線７の電圧Ｖ１（及び２次側出力電圧Ｖ２ａ）が急低下し、１次側制御回路１１の動作を停止させスイッチング素子１０の発振を停止させる。
【００３８】
その後、実施例１と同様に、１次側の整流用コンデンサ１３には、ＡＣプラグ３から起動抵抗９を介して充電電流が流れ込み、１次側制御回路１１への印加電圧Ｖ１が上昇して１次側制御回路１１及びスイッチング素子１０の動作が再開する。この例でも、自動的にＡＣプラグ３の切り／入り動作と等価な動作を行い、スイッチング電源装置２を再起動させることができる。
【実施例３】
【００３９】
図５は、本発明に係るスイッチング電源装置を含む電気機器のさらに他の実施例を示す構成図である。
本実施例でも実施例１，２と同様に、２次側回路３０には、電圧の異常を検出する電圧検出回路３１と、回路の動作異常を検出する動作異常検出回路３２を有する。実施例１，２と異なるのは、スイッチング電源装置２において帰還回路の一部を短絡するのではなく、１次側整流回路４の前にＡＣリレースイッチ５２を設けてＡＣプラグ３からの電源入力を遮断するように構成したことである。ＡＣリレースイッチ５２は、新たに設けたフォトカプラ５１からの信号で制御する。
【００４０】
この構成により、検出回路３１，３２が異常を検出すると、異常を示す制御信号Ｖｃはフォトカプラ５１を介してＡＣリレースイッチ５２に送られる。ＡＣリレースイッチ５２はオンからオフに切り替わり１次側主巻線６への電圧印加を遮断することで、１次側補助巻線７の電圧Ｖ１及び２次側出力電圧Ｖ２ａ，Ｖ２ｂは停止する。そして、１次側回路と２次側回路３０の動作は停止する。
【００４１】
その後、実施例１，２と同様に、１次側の整流用コンデンサ１３には、ＡＣプラグ３から起動抵抗９を介して充電電流が流れ込み、１次側制御回路１１への印加電圧Ｖ１が上昇して１次側制御回路１１及びスイッチング素子１０の動作が再開する。このときＡＣリレースイッチ５２への制御信号Ｖｃは停止しているので、ＡＣリレースイッチ５２はオンに復帰する。この例でも、自動的にＡＣプラグ３の切り／入り動作と等価な動作を行い、スイッチング電源装置２を再起動させることができる。
【００４２】
上記各実施例では、ＡＣ電源を入力してＤＣ電圧を出力するＡＣ−ＤＣスイッチング電源装置の場合を説明したが、本発明は、ＤＣ電源を入力してＤＣ電圧を出力するＤＣ−ＤＣスイッチング電源装置にも同様に適用できる。
【図面の簡単な説明】
【００４３】
【図１】本発明に係るスイッチング電源装置を含む電気機器の一実施例を示す構成図（実施例１）。
【図２】スイッチング電源装置の異常発生時の動作フローチャートを示す図。
【図３】スイッチング電源装置の各部の信号波形を示す図。
【図４】本発明に係るスイッチング電源装置を含む電気機器の他の実施例を示す構成図（実施例２）。
【図５】本発明に係るスイッチング電源装置を含む電気機器のさらに他の実施例を示す構成図（実施例３）。
【符号の説明】
【００４４】
１…電気機器、
２…スイッチング電源装置、
３…ＡＣプラグ、
４…１次側整流回路、
５…トランス、
６…１次側主巻線、
７…補助巻線、
８ａ，８ｂ…２次側巻線、
９…起動抵抗、
１０…スイッチング素子、
１１…１次側制御回路、
１２，１４ａ，１４ｂ…整流用ダイオード、
１３，１５ａ，１５ｂ…整流用コンデンサ、
２０ａ，２０ｂ…２次側出力端子、
２１，２２…分圧抵抗、
２３…誤差増幅部、
２４…電流制限抵抗、
２５…シャントレギュレータ、
２６，５１…フォトカプラ、
３０…２次側回路、
３１…電圧検出回路、
３２…動作異常検出回路、
３３…オア回路、
３４…制御信号入力端子、
３５，４１…逆流防止用ダイオード、
３６，４２…短絡用スイッチ、
５２…ＡＣリレースイッチ。
【図１】
2009177990.tif 000003
【図２】
2009177990.tif 000004
【図３】
2009177990.tif 000005
【図４】
2009177990.tif 000006
【図５】
2009177990.tif 000007